【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
第１の電極と第２の電極との間に発光性の高い物質を含む第１の層を有し、
前記第２の電極と前記第１の層との間に有機物を含む第２の層を有し、前記有機物は正孔輸送性の高い物質であり、
前記第２の電極と前記第２の層との間に金属酸化物を含む層を有し、
前記第１の電極と前記第１の層と前記第２の層と前記金属酸化物を含む層と前記第２の電極とは、
前記第１の電極よりも前記第２の電極の方が後に形成されるように積層されていることを特徴とする発光素子。
【請求項２】
第１の電極の上に発光性の高い物質を含む第１の層を有し、
前記第１の層の上に有機物を含む第２の層を有し、前記有機物は正孔輸送性の高い物質であり、
前記第２の層の上に金属酸化物を含む層を有し、
前記金属酸化物を含む層の上に第２の電極を有することを特徴とする発光素子。
【請求項３】
第１の電極と第２の電極との間に発光性の高い物質を含む第１の層を有し、
前記第２の電極と前記第１の層との間に有機物を含む第２の層を有し、前記有機物は電子輸送性の高い物質であり、
前記第２の電極と前記第２の層との間に金属酸化物を含む層を有し、
前記第１の電極と前記第１の層と前記第２の層と前記金属酸化物を含む層と前記第２の電極とは、
前記第１の電極よりも前記第２の電極の方が後に形成されるように積層されていることを特徴とする発光素子。
【請求項４】
第１の電極の上に発光性の高い物質を含む第１の層を有し、
前記第１の層の上に有機物を含む第２の層を有し、前記有機物は電子輸送性の高い物質であり、
前記第２の層の上に金属酸化物を含む層を有し、
前記金属酸化物を含む層の上に第２の電極を有することを特徴とする発光素子。
【請求項５】
請求項１乃至請求項４のいずれか一に記載の発光素子において、前記金属酸化物を含む層は１０ｎｍ〜２００ｎｍの厚さであることを特徴とする発光素子。
【請求項６】
請求項１乃至請求項５のいずれか一に記載の発光素子において、前記金属酸化物を含む層は、蒸着法によって形成されたものであることを特徴とする発光素子。
【請求項７】
請求項１乃至請求項６のいずれか一に記載の発光素子において、前記金属酸化物は、モリブデン酸化物、バナジウム酸化物、ルテニウム酸化物、タングステン酸化物、マンガン酸化物のなかから選ばれた一の金属酸化物であることを特徴とする発光素子。
【請求項８】
請求項１乃至請求項６のいずれか一に記載の発光素子において、前記金属酸化物は、モリブデン酸化物であることを特徴とする発光素子。
【請求項９】
請求項１乃至請求項８のいずれか一に記載の発光素子において、前記第２の電極は、スパッタ法により形成されたものであることを特徴とする発光素子。
【請求項１０】
請求項１乃至請求項９のいずれか一に記載の発光素子において、前記第２の電極は、インジウム錫酸化物、珪素を含有したインジウム錫酸化物または酸化インジウムに２〜２０％の酸化亜鉛を混合したＩＺＯであることを特徴とする発光素子。
【請求項１１】
第１の電極と第２の電極との間に発光性の高い物質を含む第１の層を有し、
前記第２の電極と前記第１の層との間に第１の有機物を含む第２の層を有し、前記第１の有機物は正孔輸送性の高い物質であり、
前記第２の電極と前記第２の層との間に金属酸化物と第２の有機物とを含む層を有し、
前記第１の電極と前記第１の層と前記第２の層と前記金属酸化物と第２の有機物とを含む層と前記第２の電極とは、
前記第１の電極よりも前記第２の電極の方が後に形成されるように積層されていることを特徴とする発光素子。
【請求項１２】
第１の電極の上に発光性の高い物質を含む第１の層を有し、
前記第１の層の上に第１の有機物を含む第２の層を有し、前記第１の有機物は正孔輸送性の高い物質であり、
前記第２の層の上に金属酸化物と第２の有機物とを含む層を有し、
前記金属酸化物と第２の有機物とを含む層の上に第２の電極を有することを特徴とする発光素子。
【請求項１３】
第１の電極と第２の電極との間に発光性の高い物質を含む第１の層を有し、
前記第２の電極と前記第１の層との間に第１の有機物を含む第２の層を有し、前記第１の有機物は電子輸送性の高い物質であり、
前記第２の電極と前記第２の層との間に金属酸化物と第２の有機物とを含む層を有し、
前記第１の電極と前記第１の層と前記第２の層と前記金属酸化物と第２の有機物とを含む層と前記第２の電極とは、
前記第１の電極よりも前記第２の電極の方が後に形成されるように積層されていることを特徴とする発光素子。
【請求項１４】
第１の電極の上に発光性の高い物質を含む第１の層を有し、
前記第１の層の上に第１の有機物を含む第２の層を有し、前記第１の有機物は電子輸送性の高い物質であり、
前記第２の層の上に金属酸化物と第２の有機物とを含む層を有し、
前記金属酸化物と第２の有機物とを含む層の上に第２の電極を有することを特徴とする発光素子。
【請求項１５】
請求項１１乃至請求項１４のいずれか一に記載の発光素子において、前記金属酸化物と第２の有機物とを含む層は１０ｎｍ〜２００ｎｍの厚さであることを特徴とする発光素子。
【請求項１６】
請求項１１乃至請求項１５のいずれか一に記載の発光素子において、前記金属酸化物と第２の有機物とを含む層は、蒸着法によって形成されたものであることを特徴とする発光素子。
【請求項１７】
請求項１１乃至請求項１６のいずれか一に記載の発光素子において、前記金属酸化物は、モリブデン酸化物、バナジウム酸化物、ルテニウム酸化物、タングステン酸化物、マンガン酸化物のなかから選ばれた一の金属酸化物であることを特徴とする発光素子。
【請求項１８】
請求項１１乃至請求項１６のいずれか一に記載の発光素子において、前記金属酸化物は、モリブデン酸化物であることを特徴とする発光素子。
【請求項１９】
請求項１１乃至請求項１８のいずれか一に記載の発光素子において、前記第２の電極は、スパッタ法により形成されたものであることを特徴とする発光素子。
【請求項２０】
請求項１１乃至請求項１９のいずれか一に記載の発光素子において、前記第２の電極は、インジウム錫酸化物、珪素を含有したインジウム錫酸化物または酸化インジウムに２〜２０％の酸化亜鉛を混合したＩＺＯであることを特徴とする発光素子。
【請求項２１】
請求項１１乃至請求項２０のいずれか一に記載の発光素子において、前記第２の有機物は、４，４’−ビス［Ｎ−（１−ナフチル）−Ｎ−フェニル−アミノ］−ビフェニルまたは４，４’−ビス［Ｎ−（３−メチルフェニル）−Ｎ−フェニル−アミノ］−ビフェニルであることを特徴とする発光素子。
【請求項２２】
請求項１乃至請求項２１のいずれか一に記載の発光素子を有することを特徴とする発光装置。
【請求項２３】
第１の電極を形成し、
前記第１の電極の上に発光性の高い物質を含む第１の層を形成し、
前記第１の層の上に有機物を含む第２の層を形成し、前記有機物は正孔輸送性の高い物質であり、
前記第２の層の上に金属酸化物を含む層を形成し、
前記金属酸化物を含む層の上に第２の電極を形成することを特徴とする発光素子の作製方法。
【請求項２４】
第１の電極を形成し、
前記第１の電極の上に発光性の高い物質を含む第１の層を形成し、
前記第１の層の上に有機物を含む第２の層を形成し、前記有機物は電子輸送性の高い物質であり、
前記第２の層の上に金属酸化物を含む層を形成し、
前記金属酸化物を含む層の上に第２の電極を形成することを特徴とする発光素子の作製方法。
【請求項２５】
請求項２３または請求項２４に記載の発光素子の作製方法において、前記金属酸化物を含む層を蒸着法によって形成することを特徴とする発光素子の作製方法。
【請求項２６】
請求項２３乃至請求項２５のいずれか一に記載の発光素子の作製方法において、前記第２の電極はスパッタ法により形成することを特徴とする発光素子の作製方法。
【請求項２７】
第１の電極を形成し、
前記第１の電極の上に発光性の高い物質を含む第１の層を形成し、
前記第１の層の上に第１の有機物を含む第２の層を形成し、前記第１の有機物は正孔輸送性の高い物質であり、
前記第２の層の上に金属酸化物と第２の有機物とを含む層を形成し、
前記金属酸化物と第２の有機物とを含む層の上に第２の電極を形成することを特徴とする発光素子の作製方法。
【請求項２８】
第１の電極を形成し、
前記第１の電極の上に発光性の高い物質を含む第１の層を形成し、
前記第１の層の上に第１の有機物を含む第２の層を形成し、前記第１の有機物は電子輸送性の高い物質であり、
前記第２の層の上に金属酸化物と第２の有機物とを含む層を形成し、
前記金属酸化物と第２の有機物とを含む層の上に第２の電極を形成することを特徴とする発光素子の作製方法。
【請求項２９】
請求項２７または請求項２８に記載の発光素子の作製方法において、前記金属酸化物と第２の有機物とを含む層を蒸着法によって形成することを特徴とする発光素子の作製方法。
【請求項３０】
請求項２７乃至請求項２９のいずれか一に記載の発光素子の作製方法において、前記第２の電極はスパッタ法により形成することを特徴とする発光素子の作製方法。
【請求項３１】
請求項２７乃至請求項３０のいずれか一に記載の発光素子の作製方法において、前記第２の有機物は、４，４’−ビス［Ｎ−（１−ナフチル）−Ｎ−フェニル−アミノ］−ビフェニルまたは４，４’−ビス［Ｎ−（３−メチルフェニル）−Ｎ−フェニル−アミノ］−ビフェニルであることを特徴とする発光素子の作製方法。